(57)【要約】【課題】携帯端末を用いて、利用者が必要としているリアルタイムな情報を、利用者が居るエリアに密接した情報を厳選して利用者が取得できることにより、また、利用者の居るエリアの近辺に、同様の希望をする本システムの別の利用者を通知することで利用者間の連携をもはかり、それら情報をさらに有効に活用できる携帯端末を用いた情報統括管理システム及びその方法を提供する。【解決手段】前記携帯端末に装着した装着部に記憶された前記アドレス及び個別番号とを前記携帯端末が読み出して、前記個別番号と前記利用者から入力された閲覧を希望するコンテンツモード情報とを前記アドレスにある前記Ｗｅｂサーバへ送信され、前記携帯端末の接続エリアを測定し、コンテンツデータベースへと接続し、前記接続エリアと同エリアの属性のついたコンテンツ情報を前記携帯端末に送信する。【選択図】  図１
2004178339.tif 000002
【特許請求の範囲】
【請求項１】
各利用者が所持する、入力手段を有する携帯端末と、所定の情報の提供を行うＷｅｂサーバとがインターネットによって接続される構成をもつ情報統括管理システムにおいて、
前記システムは、前記携帯端末に装着して使用される装着部をさらにもち、
前記装着部は、Ｗｅｂサーバのアドレスを記憶したアドレス記憶部と、
各装着部個別の番号である個別番号を記憶した個別番号記憶部とをもち、
前記Ｗｅｂサーバは、
全ての前記装着部についての前記個別番号を記憶している個別番号データベースと、
前記個別番号の認証を行う個別番号認証部と、
前記利用者の現在位置である前記携帯端末の位置を測定する位置測定部と、
所定のコンテンツに別れている複数のコンテンツデータベースと、
前記携帯端末との送受信を行う送受信部と、
前記各コンテンツデータベースの情報の記憶及び読出しを行う記憶読出し部と、
をもつ構成であって、
前記携帯端末に装着した装着部に記憶された前記アドレス及び個別番号とを前記携帯端末が読み出して、前記個別番号と前記利用者から入力された閲覧を希望するコンテンツモード情報とを前記アドレスにある前記Ｗｅｂサーバへ送信され、
前記Ｗｅｂサーバでは前記送受信部において前記送信された情報が受信され、
前記個別番号データベース及び前記個別番号認証部において前記個別番号が認証されると共に、
前記位置情報測定部が前記携帯端末の接続エリアを測定し、
前記コンテンツモード情報に基づいて前記モード判別手段が該当する前記コンテンツデータベースへと接続し、
前記コンテンツデータベースに記憶された掲載情報を前記記憶読出し部が読出して、前記接続エリアと同エリアの属性のついたコンテンツ情報を前記携帯端末に送信することにより、前記コンテンツ情報を前記携帯端末において閲覧することが可能なことを特徴とする携帯端末を用いた情報統括管理システム。
【請求項２】
前記携帯端末から前記コンテンツデータベースに前記コンテンツ情報を掲載を希望する際に、前記装着部の前記個別番号記憶手段から読み出された前記個別番号と、前記入力手段によって入力されたコンテンツ情報及びコンテンツモード情報と、前記携帯端末の時計を利用した入力時刻情報とを前記装着部の前記アドレス記憶手段から読出されるアドレスにあるＷｅｂサーバに対して送信し、
前記Ｗｅｂサーバでは、前記個別番号を前記個別番号認証部によって認証し、前記位置測定手段が前記接続エリアを測定し、前記コンテンツモード情報を前記モード判別手段によって判別し、前記接続エリア、前記入力時刻の属性を付した前記コンテンツ情報を、前記記憶読出し手段が前記モード判別手段によって判別されたコンテンツデータベースに対して記憶する請求項１に記載の携帯端末を用いた情報統括管理システム。
【請求項３】
前記システムは、各コンテンツデータベースに記憶された各データを削除する削除部をさらにもつ構成であって、前記コンテンツデータベースに記憶された前記コンテンツ情報を、前記コンテンツデータベース記憶後、属性である前記入力時刻情報より一定時刻経過後に削除する請求項２に記載の携帯端末を用いた情報統括管理システム。
【請求項４】
前記Ｗｅｂサーバは、前記個別番号データベースと関連して記憶されている利用者データベースをもち、前記利用者が前記Ｗｅｂサーバに接続している際に、前記接続エリアが同エリアであり、さらに同コンテンツモード情報で前記Ｗｅｂサーバに対して接続している他の利用者について、前記個別番号を基に、接続している前記他の利用者の前記利用者データベースに記憶された利用者情報を前記携帯端末において閲覧可能な請求項１から３に記載の携帯端末を用いた情報統括管理システム。
【請求項５】
前記利用者情報は、前記携帯端末の入力手段を用いて、公開するか否かを選択することが可能な請求項４に記載の携帯端末を用いた情報統括管理システム。
【請求項６】
前記Ｗｅｂサーバは、前記携帯端末より入力された会話情報の送受信を行う会話送受信部をもち、前記利用者より前記携帯端末において、前記利用者情報の参照を基に、入力手段によって入力される会話を送信したい前記他の利用者の選択と、会話情報につき、前記会話送受信部が前記他の利用者との間で前記他の利用者の選択に基づいて、会話情報の送受信を前記他の利用者の携帯端末との間でおこなう請求項５に記載の携帯端末を用いた情報統括管理システム。
【請求項７】
前記携帯端末において、前記利用者によってさらに前記情報エリアが入力されることにより、前記記憶読出し部がその前記情報エリアの属性がついた前記コンテンツデータを前記コンテンツデータベースより読出し、前記Ｗｅｂサーバが前記携帯端末へと前記コンテンツデータを送信する請求項１から６に記載の携帯端末を用いた情報統括管理システム。
【請求項８】
各利用者が所持する、入力手段を有する携帯端末と、所定の情報の提供を行うＷｅｂサーバとがインターネットによって接続される構成をもつ情報統括管理方法において、
前記方法は、前記携帯端末に装着して使用される装着部をさらにもち、
前記装着部は、Ｗｅｂサーバのアドレスを記憶したアドレス記憶部と、
各装着部個別の番号である個別番号を記憶した個別番号記憶部とをもち、
前記Ｗｅｂサーバは、
全ての前記装着部についての前記個別番号を記憶している個別番号データベースと、
前記個別番号の認証を行う個別番号認証部と、
前記利用者の現在位置である前記携帯端末の位置を測定する位置測定部と、
所定のコンテンツに別れている複数のコンテンツデータベースと、
前記携帯端末との送受信を行う送受信部と、
前記各コンテンツデータベースの情報の記憶及び読出しを行う記憶読出し部と、をもつ構成を用いて、
前記携帯端末が前記装着部よりＷｅｂサーバのアドレス及び前記装着部の前記個別番号を読み出すステップと、
前記携帯端末の入力手段からコンテンツモード情報が入力されるステップと、
前記携帯端末が前記Ｗｅｂサーバへと接続、所定の情報を送信するステップと、前記個別番号の認証が行われるステップと、
前記携帯端末の接続エリアを測定するステップと、
前記コンテンツモード情報に基づいてモードが判別されるステップと、
前記モードのコンテンツデータベースより、前記接続エリアと同属性のついたコンテンツ情報が読み出されるステップと、
前記携帯端末に対して前記コンテンツ情報が送信されるステップとをもつことを特徴とする携帯端末を用いた情報統括管理方法。
【請求項９】
各利用者が所持する、入力手段を有する携帯端末と、所定の情報の提供を行うＷｅｂサーバとがインターネットによって接続される構成をもつ情報統括管理方法において、
前記方法は、前記携帯端末に装着して使用される装着部をさらにもち、
前記装着部は、Ｗｅｂサーバのアドレスを記憶したアドレス記憶部と、
各装着部個別の番号である個別番号を記憶した個別番号記憶部とをもち、
前記Ｗｅｂサーバは、
全ての前記装着部についての前記個別番号を記憶している個別番号データベースと、
前記個別番号の認証を行う個別番号認証部と、
前記利用者の現在位置である前記携帯端末の位置を測定する位置測定部と、
所定のコンテンツに別れている複数のコンテンツデータベースと、
前記携帯端末との送受信を行う送受信部と、
前記各コンテンツデータベースの情報の記憶及び読出しを行う記憶読出し部と、をもつ構成を用いて、
前記携帯端末が前記装着部よりＷｅｂサーバのアドレス及び前記装着部の前記個別番号を読み出すステップと、
前記携帯端末の入力手段からコンテンツモード情報が入力されるステップと、
前記携帯端末の入力手段からコンテンツ情報が入力されるステップと、
前記携帯端末の時計機能から入力時刻を前記コンテンツ情報の属性として付加するステップと、
前記携帯端末が前記Ｗｅｂサーバへと接続、所定の情報を送信するステップと、前記個別番号を認証するステップと、
前記携帯端末の接続エリアを測定するステップと、
前記コンテンツモード情報に基づいてモードが判別されるステップと、
前記モードのコンテンツデータベースへと前記入力時刻情報、接続エリア情報を属性と付加して前記コンテンツデータを記憶するステップと、
前記入力時刻情報より一定時刻経過後に前記コンテンツデータを削除するステップとをもつことを特徴とする携帯端末を用いた情報統括管理方法。
【請求項１０】
各利用者が所持する、入力手段を有する携帯端末と、所定の情報の提供を行うＷｅｂサーバとがインターネットによって接続される構成をもつ情報統括管理方法において、
前記方法は、前記携帯端末に装着して使用される装着部をさらにもち、
前記装着部は、Ｗｅｂサーバのアドレスを記憶したアドレス記憶部と、
各装着部個別の番号である個別番号を記憶した個別番号記憶部とをもち、
前記Ｗｅｂサーバは、
全ての前記装着部についての前記個別番号を記憶している個別番号データベースと、
前記個別番号の認証を行う個別番号認証部と、
前記利用者の現在位置である前記携帯端末の位置を測定する位置測定部と、
所定のコンテンツに別れている複数のコンテンツデータベースと、
前記携帯端末との送受信を行う送受信部と、
前記各コンテンツデータベースの情報の記憶及び読出しを行う記憶読出し部と、をもつ構成を用いて、
前記携帯端末が前記装着部よりＷｅｂサーバのアドレス及び前記装着部の前記個別番号を読み出すステップと、
前記携帯端末の入力手段からコンテンツモード情報が入力されるステップと、
前記携帯端末の入力手段から利用者情報閲覧要求が入力されるステップと、
前記携帯端末の時計機能から入力時刻を前記コンテンツ情報の属性として付加するステップと、
前記携帯端末が前記Ｗｅｂサーバへと接続、所定の情報を送信するステップと、前記個別番号を認証するステップと、
前記携帯端末の接続エリアを測定するステップと、
前記コンテンツモード情報に基づいてモードが判別されるステップと、
前記接続エリア内の前記個別番号と関連づけられた前記利用者情報が読み出されるステップと、
前記読み出された利用者情報が前記携帯端末に対して送信されるステップと、
前記携帯端末の入力手段から一の利用者に対して会話情報が入力されるステップと、
前記会話情報が前記Ｗｅｂサーバに対して送信されるステップと、
前記会話情報が前記一の利用者に対して送信されるステップと、
をもつことを特徴とする携帯端末を用いた情報統括管理システム。
【発明の詳細な説明】
【０００１】
【発明の属する技術分野】
本発明は、携帯端末を端末として、インターネット等のネットワークを介し情報提供を行う情報統括管理システムに関し、特に、利用者に密接かつタイムリーな地域情報を提供するのに好適な携帯端末を用いた情報統括システム及びその方法に関する。
【０００２】
【従来の技術】
従来、種々の企業は、新聞、雑誌、テレビ、ラジオ等のメディアを用いて宣伝を行っていた。さらには、店頭や駅等においてちらしを配布するなどの方法もあった。
【０００３】
また、最近のインターネットの普及に伴ない、自社のホームページを設立したり、ダイレクトメール等を用いて宣伝を行うようになってきた。
【０００４】
携帯端末を利用する場合、最近の携帯端末はインターネットへと接続することができるようになり、ホームページの閲覧や、メール機能を利用して、ダイレクトメール等の受信が可能となっている。
【０００５】
また、インターネットを利用して、各電話会社等が運営するデータベースへと接続することにより、様々な企業の情報を得ることができるようになっている。
【０００６】
さらには、個人のもつホームページへとアクセスすることにより、ホームページ開設者がお勧めする企業や店の情報を得ることが可能となっている。
【０００７】
なお、企業側がダイレクトメール等を用いて携帯端末利用者に対して宣伝を配信する場合には、その宣伝を不必要な利用者に対してなるべく配信しないよう、いくつかの条件を付与して配信している。
【０００８】
例えば、商店等から送られた地域情報をＣＡＴＶ局のＷｅｂサーバへと登録し、利用者からの要求に応じてその地域情報を携帯端末へと配信するものや（特許文献１参照）、広告やその他の情報を、コンピュータネットワークを利用して送信する際に、利用者の接続地域を自動的に判別し、次にその地域の天気を判別し、その天気による、広告なり、情報なりを効果的に受信者に送信、さらには利用者の接続時刻に応じた広告や情報を送信するものや（特許文献２参照）、情報発信者から登録された情報を、情報発信者が指定した地域の設定に基づいて、一定時刻毎にブロードキャストし、受信者側では必要なジャンルのみを表示するようにしたものがある（特許文献３参照）。
【０００９】
【特許文献１】
特開２００１−３０６９３７号公報
【００１０】
【特許文献２】
特開２００２−６３０９５号公報
【００１１】
【特許文献３】
特開２００２−１９９４６０号公報
【００１２】
【発明が解決しようとする課題】
しかしながら、インターネットを利用して宣伝を行う場合、サーバ運営に費用がかかるため、地域の商店や企業の小規模な商店主やこと業主は利用するには敷居が高く、また、利用者がホームページを利用するにはそのアドレスを調べる必要があるなどの、様々な課題があり、なかなか携帯端末からは利用されないのが実情である。このため、ホームページにタイムリーな情報を掲載したとしても、閲覧するのはごく少数に限られてしまうため、その宣伝効果を充分に発揮できないという弊害がある。
【００１３】
また、利用者が携帯端末を利用してこれら情報を得ようとする場合、キーが小さく、操作が面倒であるため、使い慣れていないと利用しづらいことから、利用されないという問題点がある。
【００１４】
一方、ダイレクトメールなどで複数の携帯端末に対して一斉配信する場合、確かにタイムリーではあるが、必要でない利用者にまで広告メールが配信されてしまうため、現在社会問題となっているような、迷惑メールとなってしまう可能性が高い。
【００１５】
さらには、これらデータは自動的に削除されること無く、削除する場合には人為的に削除する必要があり、例えアクセスしても、古い情報がそのまま残っている場合もあるために、タイムリーな情報を探すのに苦労してしまうようなこともある。
【００１６】
そのため、［特許文献１］、［特許文献２］、［特許文献３］では、タイムリーな情報を、限定した利用者に対して配信するシステム、方法が記載されている。
【００１７】
［特許文献１］の場合、ＣＡＴＶ局にＷｅｂサーバを備え、地域に密着したタイムリーな地域情報を情報提供者から受信、利用者の希望により携帯端末に対して送信するシステムが記載されている。このシステムでは、携帯端末から利用する場合、アドレス入力等をする必要があり、上述したように、操作に慣れていない利用者には使いづらく、反復利用があまり期待できない。さらには、もたらされる情報がコンテンツ毎に整理されるわけではないため、種々雑多のタイムリー情報が集まってしまい、必要な情報を必ずしもすぐに見つけられるわけではない。
【００１８】
［特許文献２］の場合、広告やその他の情報を、コンピュータネットワークを利用して送信する際に、利用者の接続地域を自動的に判別し、次にその地域の天気を判別し、その天気による、広告なり、情報なりを効果的に受信者に送信、さらには利用者の接続時刻に応じた広告や情報を送信する方法が記載されている。この方法の場合、やはりメールにて一斉配信するため、限定こと項が増えても現時点でその情報が不必要な利用者に対して情報が配信されてしまう点は否めない。例えば、食事をしたすぐ後に食事の情報がもたらされても不必要な情報ということになってしまう。
【００１９】
［特許文献３］の場合、情報発信者から登録された情報を、情報発信者が指定した地域の設定に基づいて、一定時刻毎にブロードキャストし、受信者側では必要なジャンルのみを表示するようにした方法が記載されている。［特許文献２］同様、この方法の場合も一斉配信を行うため、たとえ携帯端末側で限定を行ったとしても、現時点でその情報が不必要な利用者に対して情報が配信されてしまう点は否めない。利用者がその都度、携帯端末の設定において必要、不必要を選択すれば良いが、上述したように、携帯端末の操作に不慣れな利用者にとっては使いづらい。
【００２０】
本発明は、上述のようなこと情からなされたものであり、本発明の目的は、携帯端末を用いて、利用者が必要としているリアルタイムな情報を、利用者が居る場所に密接した情報を厳選して利用者が取得できることにより、また、利用者の居る場所の近辺に、同様の希望をする本システムの別の利用者を通知することで利用者間の連携をもはかり、それら情報をさらに有効に活用できる携帯端末を用いた情報統括管理システム及びその方法を提供する。
【００２１】
【課題を解決するための手段】
本発明は、携帯端末を端末として、インターネット等のネットワークを介し情報提供を行う情報統括管理システムに関し、特に、利用者に密接かつタイムリーな地域情報を提供するのに好適な携帯端末を用いた情報統括システム及びその方法に関し、本発明の上記目的は、各利用者が所持する、入力手段を有する携帯端末と、所定の情報の提供を行うＷｅｂサーバとがインターネットによって接続される構成をもつ情報統括管理システムにおいて、前記システムは、前記携帯端末に装着して使用される装着部をさらにもち、前記装着部は、Ｗｅｂサーバのアドレスを記憶したアドレス記憶部と、各装着部個別の番号である個別番号を記憶した個別番号記憶部とをもち、前記Ｗｅｂサーバは、全ての前記装着部についての前記個別番号を記憶している個別番号データベースと、前記個別番号の認証を行う個別番号認証部と、前記利用者の現在位置である前記携帯端末の位置を測定する位置測定部と、所定のコンテンツに別れている複数のコンテンツデータベースと、前記携帯端末との送受信を行う送受信部と、前記各コンテンツデータベースの情報の記憶及び読出しを行う記憶読出し部と、をもつ構成であって、前記携帯端末に装着した装着部に記憶された前記アドレス及び個別番号とを前記携帯端末が読み出して、前記個別番号と前記利用者から入力された閲覧を希望するコンテンツモード情報とを前記アドレスにある前記Ｗｅｂサーバへ送信され、前記Ｗｅｂサーバでは前記送受信部において前記送信された情報が受信され、前記個別番号データベース及び前記個別番号認証部において前記個別番号が認証されると共に、前記位置情報測定部が前記携帯端末の接続エリアを測定し、前記コンテンツモード情報に基づいて前記モード判別手段が該当する前記コンテンツデータベースへと接続し、前記コンテンツデータベースに記憶された掲載情報を前記記憶読出し部が読出して、前記接続エリアと同エリアの属性のついたコンテンツ情報を前記携帯端末に送信することにより、前記コンテンツ情報を前記携帯端末において閲覧することが可能なことによって達成される。
【００２２】
また、本発明の上記目的は、前記携帯端末から前記コンテンツデータベースに前記コンテンツ情報を掲載を希望する際に、前記装着部の前記個別番号記憶手段から読み出された前記個別番号と、前記入力手段によって入力されたコンテンツ情報及びコンテンツモード情報と、前記携帯端末の時計を利用した入力時刻情報とを前記装着部の前記アドレス記憶手段から読出されるアドレスにあるＷｅｂサーバに対して送信し、前記Ｗｅｂサーバでは、前記個別番号を前記個別番号認証部によって認証し、前記位置測定手段が前記接続エリアを測定し、前記コンテンツモード情報を前記モード判別手段によって判別し、前記接続エリア、前記入力時刻の属性を付した前記コンテンツ情報を、前記記憶読出し手段が前記モード判別手段によって判別されたコンテンツデータベースに対して記憶することにより、或は、前記システムは、各コンテンツデータベースに記憶された各データを削除する削除部をさらにもつ構成であって、前記コンテンツデータベースに記憶された前記コンテンツ情報を、前記コンテンツデータベース記憶後、属性である前記入力時刻情報より一定時刻経過後に削除することにより、或は、前記Ｗｅｂサーバは、前記個別番号データベースと関連して記憶されている利用者データベースをもち、前記利用者が前記Ｗｅｂサーバに接続している際に、前記接続エリアが同エリアであり、さらに同コンテンツモード情報で前記Ｗｅｂサーバに対して接続している他の利用者について、前記個別番号を基に、接続している前記他の利用者の前記利用者データベースに記憶された利用者情報を前記携帯端末において閲覧可能であることにより、前記利用者情報は、前記携帯端末の入力手段を用いて、公開するか否かを選択することが可能であることにより、或は、前記Ｗｅｂサーバは、前記携帯端末より入力された会話情報の送受信を行う会話送受信部をもち、前記利用者より前記携帯端末において、前記利用者情報の参照を基に、入力手段によって入力される会話を送信したい前記他の利用者の選択と、会話情報につき、前記会話送受信部が前記他の利用者との間で前記他の利用者の選択に基づいて、会話情報の送受信を前記他の利用者の携帯端末との間でおこなうことにより、或は、前記携帯端末において、前記利用者によってさらに前記情報エリアが入力されることにより、前記記憶読出し部がその前記情報エリアの属性がついた前記コンテンツデータを前記コンテンツデータベースより読出し、前記Ｗｅｂサーバが前記携帯端末へと前記コンテンツデータを送信することによってより効果的に達成される。
【００２３】
一方、方法の発明としては、各利用者が所持する、入力手段を有する携帯端末と、所定の情報の提供を行うＷｅｂサーバとがインターネットによって接続される構成をもつ情報統括管理方法において、前記方法は、前記携帯端末に装着して使用される装着部をさらにもち、前記装着部は、Ｗｅｂサーバのアドレスを記憶したアドレス記憶部と、各装着部個別の番号である個別番号を記憶した個別番号記憶部とをもち、前記Ｗｅｂサーバは、全ての前記装着部についての前記個別番号を記憶している個別番号データベースと、前記個別番号の認証を行う個別番号認証部と、前記利用者の現在位置である前記携帯端末の位置を測定する位置測定部と、所定のコンテンツに別れている複数のコンテンツデータベースと、前記携帯端末との送受信を行う送受信部と、前記各コンテンツデータベースの情報の記憶及び読出しを行う記憶読出し部と、をもつ構成を用いて、前記携帯端末が前記装着部よりＷｅｂサーバのアドレス及び前記装着部の前記個別番号を読み出すステップと、前記携帯端末の入力手段からコンテンツモード情報が入力されるステップと、前記携帯端末が前記Ｗｅｂサーバへと接続、所定の情報を送信するステップと、前記個別番号の認証が行われるステップと、前記携帯端末の接続エリアを測定するステップと、前記コンテンツモード情報に基づいてモードが判別されるステップと、前記モードのコンテンツデータベースより、前記接続エリアと同属性のついたコンテンツ情報が読み出されるステップと、前記携帯端末に対して前記コンテンツ情報が送信されるステップとをもつことによって達成される。
【００２４】
また、本発明の方法の目的は、各利用者が所持する、入力手段を有する携帯端末と、所定の情報の提供を行うＷｅｂサーバとがインターネットによって接続される構成をもつ情報統括管理方法において、前記方法は、前記携帯端末に装着して使用される装着部をさらにもち、前記装着部は、Ｗｅｂサーバのアドレスを記憶したアドレス記憶部と、各装着部個別の番号である個別番号を記憶した個別番号記憶部とをもち、前記Ｗｅｂサーバは、全ての前記装着部についての前記個別番号を記憶している個別番号データベースと、前記個別番号の認証を行う個別番号認証部と、前記利用者の現在位置である前記携帯端末の位置を測定する位置測定部と、所定のコンテンツに別れている複数のコンテンツデータベースと、前記携帯端末との送受信を行う送受信部と、前記各コンテンツデータベースの情報の記憶及び読出しを行う記憶読出し部と、をもつ構成を用いて、前記携帯端末が前記装着部よりＷｅｂサーバのアドレス及び前記装着部の前記個別番号を読み出すステップと、前記携帯端末の入力手段からコンテンツモード情報が入力されるステップと、前記携帯端末の入力手段からコンテンツ情報が入力されるステップと、前記携帯端末の時計機能から入力時刻を前記コンテンツ情報の属性として付加するステップと、前記携帯端末が前記Ｗｅｂサーバへと接続、所定の情報を送信するステップと、前記個別番号を認証するステップと、前記携帯端末の接続エリアを測定するステップと、前記コンテンツモード情報に基づいてモードが判別されるステップと、前記モードのコンテンツデータベースへと前記入力時刻情報、接続エリア情報を属性と付加して前記コンテンツデータを記憶するステップと、前記入力時刻情報より一定時刻経過後に前記コンテンツデータを削除するステップとをもつことにより、或は、各利用者が所持する、入力手段を有する携帯端末と、所定の情報の提供を行うＷｅｂサーバとがインターネットによって接続される構成をもつ情報統括管理方法において、前記方法は、前記携帯端末に装着して使用される装着部をさらにもち、前記装着部は、Ｗｅｂサーバのアドレスを記憶したアドレス記憶部と、各装着部個別の番号である個別番号を記憶した個別番号記憶部とをもち、前記Ｗｅｂサーバは、全ての前記装着部についての前記個別番号を記憶している個別番号データベースと、前記個別番号の認証を行う個別番号認証部と、前記利用者の現在位置である前記携帯端末の位置を測定する位置測定部と、所定のコンテンツに別れている複数のコンテンツデータベースと、前記携帯端末との送受信を行う送受信部と、前記各コンテンツデータベースの情報の記憶及び読出しを行う記憶読出し部と、をもつ構成を用いて、前記携帯端末が前記装着部よりＷｅｂサーバのアドレス及び前記装着部の前記個別番号を読み出すステップと、前記携帯端末の入力手段からコンテンツモード情報が入力されるステップと、前記携帯端末の入力手段から利用者情報閲覧要求が入力されるステップと、前記携帯端末の時計機能から入力時刻を前記コンテンツ情報の属性として付加するステップと、前記携帯端末が前記Ｗｅｂサーバへと接続、所定の情報を送信するステップと、前記個別番号を認証するステップと、前記携帯端末の接続エリアを測定するステップと、前記コンテンツモード情報に基づいてモードが判別されるステップと、前記接続エリア内の前記個別番号と関連づけられた前記利用者情報が読み出されるステップと、前記読み出された利用者情報が前記携帯端末に対して送信されるステップと、前記携帯端末の入力手段から一の利用者に対して会話情報が入力されるステップと、前記会話情報が前記Ｗｅｂサーバに対して送信されるステップと、前記会話情報が前記一の利用者に対して送信されるステップと、をもつことによってより効果的に達成される。
【００２５】
【発明の実施の形態】
本発明は、携帯端末を端末として、インターネット等のネットワークを介し情報提供を行う情報統括管理システムに関し、特に、利用者に密接かつタイムリーな地域情報を提供するのに好適な携帯端末を用いた情報統括システム及びその方法を提供する。
【００２６】
以下図面を参照して本発明を説明する。
【００２７】
図１は、本発明の全体構成図の一例である。
【００２８】
本発明に係る構成は、本システムを管理するＷｅｂサーバ１と、利用者が本システムを利用する際に用いる、入力手段をゆうする携帯端末２と、携帯端末２に装着して使用される装着部３と、携帯端末２とデータの送受信を行うアンテナ局４であって、Ｗｅｂサーバ１とアンテナ局４がインターネットで接続されている。
【００２９】
Ｗｅｂサーバ１は、後述する個別番号に関連づけられて、利用者データが記憶される利用者データベース１１と、前述した装着部３に記憶された個別番号の詳細を記憶している個別番号データベース１２と、受信したアンテナ部４の位置を参考にして携帯端末２の位置を記憶する位置情報データベース１３と、複数種類のコンテンツにつき、各コンテンツごとに用意され記憶されるコンテンツデータベース１４のデータベースが備えられている。
【００３０】
また、携帯端末２によって選択されたモードを判別するモード判別部１５と、携帯端末２のデータを受信したアンテナ部４から、この携帯端末２の接続エリアを測定する位置測定部１６と、装着部３に記憶された個別番号が、個別番号データベース１２と照らし合わせて正規なものか否かを認証する個別番号認証部１７と、前述した利用者データベース１１と共にその利用者に向けて直接会話（メール）を送受信する会話情報送受信部１８と、前述したコンテンツデータベース１４に記載されたコンテンツ情報を、掲載コンテンツ情報毎に一定時刻後に削除する削除部１９と、各データベースを利用するための記憶読出し部１０１と、各携帯端末２と送受信を行う送受信部１０２とから構成されている。
【００３１】
携帯端末２、装着部３の内部構成については以下に説明する。
【００３２】
図２は、携帯端末２の内部構成図の一例である。
【００３３】
携帯端末２は、アンテナ局４を介してＷｅｂサーバ１とデータの送受信を行う携帯側送受信部２１と、後述する装着部３に記憶されているアドレスを読み出すアドレス記憶部２２と、後述する装着部３に記憶されている個別番号を読み出す個別番号読出部２３と、Ｗｅｂサーバ１から受信したデータ等を表示し、利用者に閲覧可能にする表示部２４と、前述したコンテンツデータベース１４や利用者データベース１１に利用者がコンテンツ情報を掲載する際に、その掲載コンテンツ情報に属性として付される現在時刻を計測する時刻計測部２５と、利用者の希望を携帯端末２に対して入力する入力部２６とから構成されている。
【００３４】
なお、本実施例では時計計測部２５を携帯端末２内部に設けたが、時刻のずれ等の問題もあるため、Ｗｅｂサーバ１内部に設けても構わない。
【００３５】
図３は、装着部３の内部構成の一例である。
【００３６】
装着部３は、各装着部３個別の番号を記憶している個別番号記憶部３２と、Ｗｅｂサーバ１のインターネットアドレスが記憶されたアドレス記憶部３３とを内部にもつ。
【００３７】
図４は、携帯端末２に装着部３を装着後、Ｗｅｂサーバ１とのデータ交信を行う際の携帯端末２の位置についての概略図である。
【００３８】
アンテナ部４は街中等に設置されている従来の携帯端末用のアンテナが使用される。携帯端末２よりＷｅｂサーバ１に対してデータが送信されると、アンテナ部４の３点によって位置が特定される。この３点は携帯端末２の送受信するデータの強さの強いアンテナ局４の３点を抽出し、その３点を直線によって結んだ三角形を携帯端末２の接続エリアとして認識するものである。
【００３９】
なお、この接続エリアは、前述したエリアのみならず、近接したエリアを含む等、融通性を高くすることも可能であり、この融通性は、携帯端末において指定、Ｗｅｂサーバ１において予め設定する等、種々に変更することが可能である。
【００４０】
これにより、Ｗｅｂサーバ１と携帯端末２との交信が位置認識が可能であり、以下に携帯端末２とＷｅｂサーバ１とのやり取りをフローチャートを用いて説明する。
【００４１】
以下、フローチャート及び携帯端末２の画面図を参照し、本発明の流れについて説明する。
【００４２】
図５は、携帯端末２からＷｅｂサーバ１のコンテンツデータベース１４内に掲載されているコンテンツ情報を参照する際のフローチャートである。
【００４３】
まず、本システムを利用者が利用を希望する際、予め用意した装着部３を携帯端末２の装着箇所に対して装着する（ステップＳ２０１）。この後、携帯端末２はアドレス読出部２２及び個別番号読出部２３が、装着部３のアドレス記憶部３３及び個別番号記憶部３２に記憶されているＷｅｂサーバ１のインターネットアドレス、各装着部固有の番号である個別番号を個別番号記憶部３２から読出し（ステップＳ２０２）、携帯端末２の表示部２４に、メニュー選択画面、モード選択画面をＷｅｂサーバ１へ接続し、表示させる。図８、図９にそれぞれメニュー選択画面、モード選択画面の一例を示す。
【００４４】
利用者は、それぞれ選択画面に従って、携帯端末２の入力部（入力手段）２６を用いて希望メニュー、モードを選択する、以下これをコンテンツモード情報という（ステップＳ２０３）。入力されたコンテンツモード情報は、携帯端末２の携帯端末側送受信部２１により、アンテナ局４、インターネットを介してＷｅｂサーバ１へと送信される（ステップＳ２０４）。この時、予め読み出されてある個別番号、携帯端末２の時刻計測部２５によって計測された時刻が、共にＷｅｂサーバ１へと送信される。
【００４５】
なお、コンテンツモード情報は、Ｗｅｂサーバ１へと接続した際に、モード判別部１５から携帯端末２へと送信される。この際、後述する位置測定部１６における接続エリアを特定しても良い。これにより、携帯端末２の接続エリアによって、提供するコンテンツモードを変化させることも可能である。コンテンツモードを変化させることで、接続エリアのみにおけるコンテンツモード提供等も可能である。
【００４６】
これらデータを受信したＷｅｂサーバ１では、個別番号認証部１７において、個別番号が正規の番号であるか否かの認証が行われる（ステップＳ２０５）。個別番号の認証に失敗した場合にはその携帯端末２に対する本システムのサービスは終了する。認証が正しい場合には、Ｗｅｂサーバ１内の位置測定部１６において、接続エリアである、データ送信を行った携帯端末２の位置特定が前述した図４のような方法によって行われる（ステップＳ２０６）。また、特定された接続エリアが、位置データベース１３に記憶される。
【００４７】
携帯端末２の位置測定終了後、モード判別部１５では、前述した利用者が入力したコンテンツモード情報の判別を行う（ステップＳ２０７）。
【００４８】
最終的に、コンテンツモード、位置測定部によって測定された携帯端末２の接続エリアの情報に基づき、それら情報に該当するコンテンツ情報を、コンテンツデータベース１４より記憶読出し部１０１がコンテンツ情報を読み出し、携帯端末２に対して送信を行う（ステップＳ２０８）。
【００４９】
このコンテンツ情報を受信した携帯端末２では、送信されたコンテンツ情報が表示部２４によって表示され、利用者が確認することができる（ステップＳ２０９）。図１０及び図１１に携帯端末２に表示されるコンテンツ情報の画面図の一例を示す。
【００５０】
なお、利用者は、コンテンツ情報の情報を絞り込むため、図１０、及び後述する図１２に示した画面図から、携帯端末２の入力部２６を用いて絞込検索を行うことにより、より利用者が必要とするコンテンツ情報を絞り込んで表示することが可能である。
【００５１】
図１２に絞り込み検索画面の画面図の一例を示す。
【００５２】
この場合、入力された絞り込み情報は、Ｗｅｂサーバ１へと送信され、モード判別部１５においてさらにモードが判別され、絞り込まれた情報がコンテンツデータベース１４より記憶読出し部１０１が読み出し、送受信部１０２が携帯端末２に送信し、携帯端末側送受信部２１によって受信され、表示部２４によって表示されることで、図１１及び後述する図１３の画面図を閲覧することで利用者は確認することができる。
【００５３】
絞り込み検索の結果の画面図の一例を図１３に示す。
【００５４】
また、各コンテンツ情報の詳細情報を選択入力することにより、表示部２４に表示させ、利用者が閲覧することが可能である。
【００５５】
コンテンツ情報の詳細情報の表示の画面図の一例を図１４、図１５に示す。
【００５６】
図６は、コンテンツデータベース１４にコンテンツ情報を掲載したい場合のフローチャートである。
【００５７】
利用者がコンテンツ情報を掲載したい場合、予め用意した装着部３を携帯端末２の装着箇所に対して装着する（ステップＳ３０１）。この後、携帯端末２はアドレス読出部２２及び個別番号読出部２３が、装着部３のアドレス記憶部３３及び個別番号記憶部３２に記憶されているＷｅｂサーバ１のインターネットアドレス、各装着部固有の番号である個別番号を個別番号記憶部３２から読出し（ステップＳ３０２）、携帯端末２の表示部２４に、Ｗｅｂサーバ１からメニュー選択画面、モード選択画面を表示させる。
【００５８】
利用者は、それぞれ選択画面に従って、携帯端末２の入力部（入力手段）２６を用いてコンテンツモード情報を選択する（ステップＳ３０３）。
【００５９】
以上、画面図は、図８及び図９を参照する。
【００６０】
コンテンツモード情報入力後、コンテンツ情報入力が行われる。これは、店名、住所、電話番号、ＰＲ、営業時刻、アクセス情報等を入力しする（ステップＳ３０４）。
【００６１】
なお、店などでない場合でもコンテンツ情報を記載することができ、この場合、スポット情報など、利用者が適宜入力して掲示することも可能である。
【００６２】
図１６にコンテンツ情報を入力する画面図の一例を示す。
【００６３】
これらの情報は、すべて入力完了後、Ｗｅｂサーバ１に送信される（ステップＳ３０５）。
【００６４】
またこの時、予め読み出されてある個別番号、携帯端末２の時刻計測部２５によって計測された時刻が、共にＷｅｂサーバ１へと送信される。
【００６５】
Ｗｅｂサーバ１は、これら情報を送受信手段１０２において受信後、個別番号認証部１７において、個別番号が正規の番号であるか否かの認証が行われる（ステップＳ３０６）。個別番号の認証に失敗した場合にはその携帯端末２に対する本システムのサービスは終了する。認証が正しい場合には、Ｗｅｂサーバ１内の位置測定部１６において、接続エリアである、データ送信を行った携帯端末２の位置特定が前述した図４のような方法によって行われる（ステップＳ３０７）。また、特定された接続エリアは、位置データベース１３へと記憶される。
【００６６】
携帯端末２の位置測定終了後、モード判別部１５では、前述した利用者が入力したコンテンツモード情報の判別を行う（ステップ３０８）。
【００６７】
その後、コンテンツモード情報によって判別されたコンテンツデータベース１４へと、記憶読出し部１０１がコンテンツ情報を記憶する（ステップＳ）。この時、コンテンツ情報に属性として、前述した接続エリア情報、時刻情報が付せられる。これは、掲載するコンテンツ情報であるコンテンツ情報が、前述した位置測定部によって測定された接続エリアであること、また後述する削除する際に使用される。
【００６８】
掲載されたコンテンツ情報は、一定時刻経過後に削除がなされる（ステップＳ３１０）。これは、Ｗｅｂサーバ１内の削除部１９によって制御され、一定時刻経過後の情報は、コンテンツデータベース１４に記憶されている情報の新鮮さを担保するために削除される。古い情報は順次削除するため、サービス経過後でも掲示されていたりといった時刻のずれのある情報を提供するといった弊害がなくなる。
【００６９】
図７は、他の利用者に対して会話情報を送信する際のフローチャートである。
【００７０】
利用者が他の利用者と会話情報を送受信したい場合、利用者は予め用意した装着部３を携帯端末２の装着箇所に対して装着する（ステップＳ４０１）。この後、携帯端末２はアドレス読出部２２及び個別番号読出部２３が、装着部３のアドレス記憶部３３及び個別番号記憶部３２に記憶されているＷｅｂサーバ１のインターネットアドレス、各装着部固有の番号である個別番号を個別番号記憶部３２から読出し（ステップＳ４０２）、携帯端末２の表示部２４に、Ｗｅｂサーバ１へと接続し、メニュー選択画面、モード選択画面を表示させる。
【００７１】
利用者は、それぞれ選択画面に従って、携帯端末２の入力部（入力手段）２６を用いてコンテンツモード情報を選択する（ステップＳ４０３）。
【００７２】
以上、画面図は、図８及び図９を参照する。
【００７３】
このメニュー選択の中で、利用者情報閲覧請求（仲間さがし）を選択し（ステップＳ４０４）、前述した個別番号、携帯端末２の時刻計測部２５によって計測された時刻と共にＷｅｂサーバ１へと携帯端末２の携帯側送受信部２１を用いて送信される（ステップＳ４０５）。
【００７４】
Ｗｅｂサーバ１は、これら情報を送受信手段１０２において受信後、個別番号認証部１７において、個別番号が正規の番号であるか否かの認証が行われる（ステップＳ４０６）。個別番号の認証に失敗した場合にはその携帯端末２に対する本システムのサービスは終了する。認証が正しい場合には、Ｗｅｂサーバ１内の位置測定部１６において、接続エリアである、データ送信を行った携帯端末２の位置特定が前述した図４のような方法によって行われる（ステップＳ４０７）。また、特定された接続エリアが位置情報データベース１３に記憶される。
【００７５】
携帯端末２の位置測定終了後、モード判別部１５では、前述した利用者が入力したコンテンツモード情報の判別を行う（ステップ４０８）。
【００７６】
その後、Ｗｅｂサーバ１では、認証された個別番号に基づいて、利用者データベース１１を検索し、同接続エリア、同モードの利用者情報を携帯端末に送受信部１０２より送信し、携帯端末２では携帯側送受信部２１においてデータを受信し、表示部２４において表示する（ステップＳ４０９）。
【００７７】
なお、利用者データベース１１には、各利用者の伝言や仲間さがし文句等が記憶されており、この記憶は、前述したコンテンツデータベース１４にコンテンツ情報を掲載する際のフローチャートに、コンテンツデータベース１４に利用者データベース１１を含めることで、各利用者は利用者データベース１１にコンテンツ情報を掲載することが可能である。ただし、各利用者は、掲示をする、しないを随時選択することが可能となっており、他の利用者が同接続エリア、同モードで検索を仲間さがしを行った場合でも表示、非表示を選択できる。
【００７８】
他の利用者を検索した利用者は、一の利用者を選択し、会話情報を入力、送信することができる（ステップＳ４１０）。なお、検索する際に、コンテンツ情報を閲覧する際のような絞り込みを行うこともできる。検索した利用者は、一の利用者に対して、携帯端末２の入力部を用いて会話情報を入力し、携帯端末２の携帯側送受信部２１よりＷｅｂサーバ１へと送信する。
【００７９】
会話情報は、Ｗｅｂサーバ１の会話情報送受信部１８において受信され、相手側である一の利用者へとその会話情報を送信する（ステップＳ４１１）。なお、ここで送受信部１０２を利用しないのは、サーバが混雑している際等、会話情報が相手側に着信するのが遅れてしまうのを防ぐためであり、通常使用されているメールを利用しないのもこれを防ぐためである。もちろん、前述した送受信部１０２において会話情報送受信部１８を兼用することも可能である。
【００８０】
受信した一の利用者は、相手に対して同様に会話情報を入力し、Ｗｅｂサーバ１に対して送信し、会話情報を交換し合うことができる（ステップＳ４１２  ＹＥＳ）。
【００８１】
会話情報の交換が終了次第、本システムのフローは終了する。
【００８２】
図１７は、利用者データベース１１で検索された情報の画面図の一例、図１８は、利用者情報の画面図の一例である。
【００８３】
【発明の効果】
以上のように、本発明かかる携帯端末を利用した情報統括管理システム及び方法によれば、コンテンツデータベースに記憶されたコンテンツ情報を、一定時刻後に削除することによって、より新鮮な情報を得ることができ、さらには接続エリア、コンテンツモード情報を用いて限定することにより、従来のように複数の階層を経て情報にたどりつくといった煩雑さがなくなる。
【００８４】
他の利用者を検索する際も同様に、接続エリアで限定していることから、
この際も上記のような煩雑さを省くことができる。
【００８５】
また、携帯端末を使い慣れなくても、装着部にアドレス、個別番号を記憶しているために、携帯端末の入力手段を用いてのアドレスの入力、ＩＤ、パスワードの入力といった煩雑な手続を踏む必要がないため、利用者が面倒のために使わないといった弊害がなくなる。
【００８６】
データを利用者がＷｅｂサーバから取り込むことから、従来のメール一斉配信による迷惑メールの増加の回避、そしてコンテンツ情報を掲載する側では、より需要のある、的確な利用者に対して情報を提供することができるため、非常に効率的なサービスを提供することが可能となる。
【００８７】
さらには、会話情報の送受信部を独自にＷｅｂサーバに有しているので、通常使われるメールサーバが込み合っている場合などにも、他の利用者に対して会話情報が遅れることなく提供できるという効果がある。
【図面の簡単な説明】
【図１】本発明に係る全体構成図の一例である。
【図２】本発明に係る携帯端末２の内部構成図の一例である。
【図３】本発明に係る装着部３の内部構成の一例である。
【図４】本発明に係る携帯端末２に装着部３を装着後、Ｗｅｂサーバ１とのデータ交信を行う際の携帯端末２の位置についての概略図である。
【図５】本発明に係る携帯端末２からＷｅｂサーバ１のコンテンツデータベース１４内に掲載されているコンテンツ情報を参照する際のフローチャートである。
【図６】本発明に係るコンテンツデータベース１４にコンテンツ情報を掲載したい場合のフローチャートである。
【図７】本発明に係る他の利用者に対して会話情報を送信する際のフローチャートである。
【図８】本発明に係るメニュー選択画面図の一例である。
【図９】本発明に係るモード選択画面の一例である。
【図１０】本発明に係る携帯端末２に表示されるコンテンツ情報の画面図の一例である。
【図１１】本発明に係る携帯端末２に表示されるコンテンツ情報の画面図の一例である。
【図１２】本発明に係る絞り込み検索画面の画面図の一例である。
【図１３】本発明に係る絞り込み検索の結果の画面図の一例である。
【図１４】本発明に係るコンテンツ情報の詳細情報の表示の画面図の一例である。
【図１５】本発明に係るコンテンツ情報の詳細情報の表示の画面図の一例である。
【図１６】本発明に係るコンテンツ情報を入力する画面図の一例である。
【図１７】本発明に係る利用者データベース１１で検索された情報の画面図の一例である。
【図１８】本発明に係る利用者情報の画面図の一例である。
【符号の説明】
１          Ｗｅｂサーバ
２          携帯端末
３          装着部
４          アンテナ局
１１        利用者データベース
１２        個別番号データベース
１３        位置情報データベース
１４        コンテンツデータベース
１５        モード判別部
１６        位置測定部
１７        個別番号認証部
１８        会話情報送受信部
１９        削除部
２１        携帯側送受信部
２２        アドレス読出部
２３        個別番号読出部
２４        表示部
２５        時刻計測部
２６        入力部
３１        装着用挿入部
３２        個別番号記憶部
３３        アドレス記憶部
１０１      記憶読出し部
１０２      送受信部
【図１】
2004178339.tif 000003
【図２】
2004178339.tif 000004
【図３】
2004178339.tif 000005
【図４】
2004178339.tif 000006
【図５】
2004178339.tif 000007
【図６】
2004178339.tif 000008
【図７】
2004178339.tif 000009
【図８】
2004178339.tif 000010
【図９】
2004178339.tif 000011
【図１０】
2004178339.tif 000012
【図１１】
2004178339.tif 000013
【図１２】
2004178339.tif 000014
【図１３】
2004178339.tif 000015
【図１４】
2004178339.tif 000016
【図１５】
2004178339.tif 000017
【図１６】
2004178339.tif 000018
【図１７】
2004178339.tif 000019
【図１８】
2004178339.tif 000020